(57)【要約】【課題】処理速度の向上を図れ生産性の向上を図る上で有利な原料混合装置および原料混合方法を提供する。【解決手段】第１タンク１２にベース材Ｂが収容され、第２タンク１４に触媒Ｃが収容されている。制御部３８は、第１自動弁６８を開放し、第１サーボモータＭ３を回転させてギアポンプ３０によるベース材Ｂの移送を開始する。これにより、ベース材Ｂは、第１タンク１２、ギアポンプ３０、第１流量計３４を介して混合器２８に移送される。制御部３８は、第２サーボモータＭ４を回転させてシリンダポンプ３２による触媒Ｃの吸引および吐出を行う。触媒Ｃは、第２タンク１４、シリンダポンプ３２、第２流量計３６を介して混合器２８に移送される。混合器２８に移送されたベース材Ｂおよび触媒Ｃは混合器２８で撹拌、混合されシーリング材とされる。【選択図】図１
2010284611.tif 000002
【特許請求の範囲】
【請求項１】
第１粘性体と前記第１粘性体よりも粘度が低い第２粘性体とを一定の容積比で混合して吐出する原料混合装置であって、
前記第１粘性体を貯える第１タンクと、
前記第１タンクに貯えられた前記第１粘性体を吸引する吸引口と、前記吸引口から吸引した前記第１粘性体を前記第１タンク内に戻す吐出口とを備えた第１管路と、
前記第１管路に設けられ、前記吸引口から前記第１粘性体を吸引し前記吐出口から前記第１粘性体を前記第１タンク内に戻す第１循環ポンプと、
前記第１管路の中間部に連通する第２管路と、
前記第２粘性体を貯える第２タンクと、
前記第２タンクに貯えられた前記第２粘性体を吸引する吸引口と、前記吸引口から吸引した前記第２粘性体を前記第２タンク内に戻す吐出口とを備えた第３管路と、
前記第３管路に設けられ、前記吸引口から前記第２粘性体を吸引し前記吐出口から前記第２粘性体を前記第２タンク内に戻す第２循環ポンプと、
前記第３管路の中間部に連通する第４管路と、
前記第２管路の端部と前記第４管路の端部とに連通し前記第１粘性体と前記第２粘性体とを混合して吐出する混合器と、
前記第２管路に設けられ前記第１管路の前記中間部から前記第１粘性体を吸引して前記混合器に吐出するギアポンプと、
前記第４管路に設けられ前記第３管路の前記中間部から前記第２粘性体を吸引して前記混合器に吐出するシリンダポンプと、
前記ギアポンプから吐出される前記第１粘性体の流量を検出する第１流量計と、
前記シリンダポンプから吐出される前記第２粘性体の流量を検出する第２流量計と、
前記第１流量計によって検出された第１粘性体の流量に基づいて前記ギアポンプによる前記第１粘性体の吐出量を制御すると共に、前記第２流量計によって検出された第２粘性体の流量に基づいて前記シリンダポンプによる前記第２粘性体の吐出量を制御する制御部と、
を備える原料混合装置。
【請求項２】
前記第２管路が連通する前記第１管路の中間部は、前記第１循環ポンプが設けられた前記第１管路の部分と前記第１管路の吐出口との間に位置する前記第１管路の部分である、
請求項１記載の原料混合装置。
【請求項３】
前記第４管路が連通する前記第３管路の中間部は、前記第３管路の吸入口と前記第２循環ポンプが設けられた前記第３管路の部分との間に位置する前記第３管路の部分である、
請求項１記載の原料混合装置。
【請求項４】
前記ギアポンプは、ケースと、前記ケースに設けられ前記第２管路を介して前記第１管路の中間部に連通するギアポンプ吸入部と、前記ケースに設けられ前記第２管路を介して前記混合器に連通するギアポンプ吐出部と、前記ケースに収容され互いに噛合する一対の歯車とを備え、
前記一対の歯車が回転駆動されることにより前記第１粘性体が前記ギアポンプ吸入部から前記ギアポンプ吐出部に移送される、
請求項１記載の原料混合装置。
【請求項５】
前記シリンダポンプは、シリンダと、前記シリンダに設けられ前記第４管路を介して前記第３管路の中間部に連通するシリンダポンプ吸入部と、前記シリンダに設けられ前記第４管路を介して前記混合器に連通するシリンダポンプ吐出部と、前記シリンダに該シリンダの軸方向に往復移動可能に収容されたピストンとを備え、
前記ピストンが前記シリンダ内で往復移動されることにより前記第２粘性体が前記シリンダポンプ吸入部から前記シリンダポンプ吐出部に移送される、
請求項１記載の原料混合装置。
【請求項６】
前記第１、第２流量計は質量流量計で構成されている、
請求項１記載の原料混合装置。
【請求項７】
前記第１、第２循環ポンプはモーノポンプで構成されている、
請求項１記載の原料混合装置。
【請求項８】
前記混合器は静止型混合器で構成されている、
請求項１記載の原料混合装置。
【請求項９】
前記ギアポンプは第１サーボモータによって駆動され、
前記第１サーボモータの回転量に対応して前記ギアポンプから吐出されるべき第１粘性体の吐出量を前記第１サーボモータの回転量を制御するための第１サーボ移動量として定義したとき、
前記制御部による前記第１粘性体の吐出量の制御は、前記第１サーボ移動量と、該第１サーボ移動量に対応して前記第１サーボモータが回転したときに前記第１流量計によって検出された第１粘性体の流量の計測値と、前記第１サーボ移動量と前記計測値の差分である偏差値とを用いてなされ、
前記シリンダポンプは第２サーボモータによって駆動され、
前記第２サーボモータの回転量に対応して前記シリンダポンプから吐出されるべき第２粘性体の吐出量を前記第２サーボモータの回転量を制御するための第２サーボ移動量として定義したとき、
前記制御部による前記第２粘性体の吐出量の制御は、前記第２サーボ移動量と、該第２サーボ移動量に対応して前記第２サーボモータが回転したときに前記第２流量計によって検出された第２粘性体の流量の計測値と、前記第２サーボ移動量と前記計測値の差分である偏差値とを用いてなされる、
請求項１記載の原料混合装置。
【請求項１０】
前記混合器で混合されたのちの前記第１粘性体と前記第２粘性体とからなる混合物を単一の容器に充填する充填ノズルが設けられ、
前記制御部は、前記充填ノズルによる前記混合物の前記単一の容器に対する充填に際して、前記第１粘性体の吐出量の制御および前記第２粘性体の吐出量の制御を少なくとも２回以上に分けて実行する、
請求項９記載の原料混合装置。
【請求項１１】
第１粘性体と前記第１粘性体よりも粘度が低い第２粘性体とを一定の容積比で混合する原料混合方法であって、
前記第１粘性体を第１タンクと該第１タンクの外部との間で循環させ、
前記第２粘性体を第２タンクと該第２タンクの外部との間で循環させ、
前記第１タンクと該第１タンクの外部との間で循環する前記第１粘性体を、ギアポンプにより吸引して混合器の導入部に吐出し、
前記第２タンクと該第２タンクの外部との間で循環する前記第２粘性体を、シリンダポンプにより吸引して混合器の導入部に吐出し、
前記ギアポンプから吐出される前記第１粘性体の流量に基づいて前記ギアポンプによる前記第１粘性体の吐出量を制御し、
前記シリンダポンプから吐出される第２粘性体の流量に基づいて前記シリンダポンプによる前記第２粘性体の吐出量を制御し、
前記混合器により前記第１粘性体と前記第２粘性体とを一定の容積比で混合するようにした、
原料混合方法。
【請求項１２】
前記ギアポンプは第１サーボモータによって駆動され、
前記第１サーボモータの回転量に対応して前記ギアポンプから吐出されるべき第１粘性体の吐出量を前記第１サーボモータの回転量を制御するための第１サーボ移動量として定義したとき、
前記第１粘性体の吐出量の制御は、前記第１サーボ移動量と、該第１サーボ移動量に対応して前記第１サーボモータが回転したときに前記第１流量計によって検出された第１粘性体の流量の計測値と、前記第１サーボ移動量と前記計測値の差分である偏差値とを用いてなされ、
前記シリンダポンプは第２サーボモータによって駆動され、
前記第２サーボモータの回転量に対応して前記シリンダポンプから吐出されるべき第２粘性体の吐出量を前記第２サーボモータの回転量を制御するための第２サーボ移動量として定義したとき、
前記第２粘性体の吐出量の制御は、前記第２サーボ移動量と、該第２サーボ移動量に対応して前記第２サーボモータが回転したときに前記第２流量計によって検出された第２粘性体の流量の計測値と、前記第２サーボ移動量と前記計測値の差分である偏差値とを用いてなされる、
請求項１１記載の原料混合方法。
【請求項１３】
前記混合器で混合された前記第１粘性体と前記第２粘性体とからなる混合物を前記混合器から単一の容器に充填するに際して、前記第１粘性体の吐出量の制御および前記第２粘性体の吐出量の制御を少なくとも２回以上に分けて実行する、
請求項１２記載の原料混合方法。
【発明の詳細な説明】
【技術分野】
【０００１】
本発明は原料混合装置および原料混合方法に関する。
【背景技術】
【０００２】
従来から、建築資材に用いられるシーリング材や接着剤などの原料を予め定められた比率で混合して吐出する原料混合装置が提供されている（特許文献１参照）。
上記従来装置でベース材と触媒との２種類の原料を混合してシーリング材を製造する場合について説明する。
原料混合装置は、ベース材を貯えるバッファタンクと、触媒を貯えるバッファタンクと、ベース材を計量する計量容器と、触媒を計量する計量容器と、混合器とを備えている。
各計量容器は、シリンダとこのシリンダ内で往復移動するピストンとを備えるシリンダポンプで構成されている。
各シリンダポンプは、シリンダ内でピストンを往復移動させることにより、バッファタンクから原料を吸引してシリンダ内に移送する動作と、シリンダ内に移送された原料をシリンダから吐出して混合器に供給する動作との２つの動作を行う。
そして、各シリンダポンプが上記の動作を同時に繰り返して行うことにより、シリンダの容積およびピストンのストローク量によって定められた容積の原料がそれぞれ計量されたのち同時に混合器に供給され、混合器で各原料が混合され吐出される。
なお、混合器から吐出された混合された原料は、缶などの容器に充填されることで製品が完成する。
【先行技術文献】
【特許文献】
【０００３】
【特許文献１】特開平１０−１５６８２７号公報
【発明の概要】
【発明が解決しようとする課題】
【０００４】
このように、従来の原料混合装置では、シリンダポンプは、シリンダ内でピストンを往復移動させることで吸引動作と吐出動作とを１つのサイクルとして繰り返して行う。
したがって、原料混合装置による原料の混合および混合した原料の吐出を行う処理速度の向上を図るためには、ピストンの移動速度を高速化して原料の移送速度を速めればよいことになる。
しかしながら、原料が高い粘度を有している場合には、ピストンの移動速度を高速化して原料の移送速度を速めることにも限界があった。
本発明はこのような事情に鑑みなされたものであり、その目的は処理速度の向上を図れ生産性の向上を図る上で有利な原料混合装置および原料混合方法を提供することにある。
【課題を解決するための手段】
【０００５】
上述の目的を達成するため、本発明は、第１粘性体と前記第１粘性体よりも粘度が低い第２粘性体とを一定の容積比で混合して吐出する原料混合装置であって、前記第１粘性体を貯える第１タンクと、前記第１タンクに貯えられた前記第１粘性体を吸引する吸引口と、前記吸引口から吸引した前記第１粘性体を前記第１タンク内に戻す吐出口とを備えた第１管路と、前記第１管路に設けられ、前記吸引口から前記第１粘性体を吸引し前記吐出口から前記第１粘性体を前記第１タンク内に戻す第１循環ポンプと、前記第１管路の中間部に連通する第２管路と、前記第２粘性体を貯える第２タンクと、前記第２タンクに貯えられた前記第２粘性体を吸引する吸引口と、前記吸引口から吸引した前記第２粘性体を前記第２タンク内に戻す吐出口とを備えた第３管路と、前記第３管路に設けられ、前記吸引口から前記第２粘性体を吸引し前記吐出口から前記第２粘性体を前記第２タンク内に戻す第２循環ポンプと、前記第３管路の中間部に連通する第４管路と、前記第２管路の端部と前記第４管路の端部とに連通し前記第１粘性体と前記第２粘性体とを混合して吐出する混合器と、前記第２管路に設けられ前記第１管路の前記中間部から前記第１粘性体を吸引して前記混合器に吐出するギアポンプと、前記第４管路に設けられ前記第３管路の前記中間部から前記第２粘性体を吸引して前記混合器に吐出するシリンダポンプと、前記ギアポンプから吐出される前記第１粘性体の流量を検出する第１流量計と、前記シリンダポンプから吐出される前記第２粘性体の流量を検出する第２流量計と、前記第１流量計によって検出された第１粘性体の流量に基づいて前記ギアポンプによる前記第１粘性体の吐出量を制御すると共に、前記第２流量計によって検出された第２粘性体の流量に基づいて前記シリンダポンプによる前記第２粘性体の吐出量を制御する制御部とを備えるものである。
また本発明は、第１粘性体と前記第１粘性体よりも粘度が低い第２粘性体とを一定の容積比で混合する原料混合方法であって、前記第１粘性体を第１タンクと該第１タンクの外部との間で循環させ、前記第２粘性体を第２タンクと該第２タンクの外部との間で循環させ、前記第１タンクと該第１タンクの外部との間で循環する前記第１粘性体を、ギアポンプにより吸引して混合器の導入部に吐出し、前記第２タンクと該第２タンクの外部との間で循環する前記第２粘性体を、シリンダポンプにより吸引して混合器の導入部に吐出し、前記ギアポンプから吐出される前記第１粘性体の流量に基づいて前記ギアポンプによる前記第１粘性体の吐出量を制御し、前記シリンダポンプから吐出される第２粘性体の流量に基づいて前記シリンダポンプによる前記第２粘性体の吐出量を制御し、前記混合器により前記第１粘性体と前記第２粘性体とを一定の容積比で混合するようにしたものである。
【発明の効果】
【０００６】
本発明の原料混合装置および原料混合方法によれば、粘度が高い第１粘性体についてはギアポンプを用い、第１粘性体よりも粘度が低い第２粘性体についてはシリンダポンプを用いるという簡素な構成により、処理速度の向上を図れ、生産性の向上を図る上で有利となる。
【図面の簡単な説明】
【０００７】
【図１】本実施の形態の原料混合装置１０の構成の一部を示す説明図である。
【図２】本実施の形態の原料混合装置１０の構成の残りの部分を示す説明図である。
【図３】ギアポンプ３０の構成を示す模式図である。
【図４】ギアポンプ３０の特性を示す図である。
【図５】原料混合装置１０の制御部３８の制御動作を示すフローチャートである。
【図６】シーリング材を３回に分けて単一の容器８２に充填する場合の制御部３８による制御動作を示すフローチャートである。
【発明を実施するための形態】
【０００８】
次に、本発明の実施の形態の原料混合方法を原料混合装置１０と共に図１乃至図６を参照して説明する。
図１、図２に示すように、本実施の形態では、原料混合装置１０は、ベース材Ｂと触媒Ｃとの２種類の原料を一定の容積比、言い換えると、一定の重量比で混合することにより建築資材に用いられるシーリング材を製造する。
ベース材Ｂおよび触媒Ｃは、共に粘性体（粘性液体）であり、ベース材Ｂの粘度よりも触媒Ｃの粘度は低い値を有している。
本実施の形態では、ベース材Ｂは特許請求の範囲の第１粘性体に相当し、触媒Ｃは特許請求の範囲の第２粘性体に相当する。
【０００９】
図１、図２に示すように、原料混合装置１０は、第１タンク１２、第２タンク１４、第１管路１６、第２管路１８、第３管路２０、第４管路２２、第１循環ポンプ２４、第２循環ポンプ２６、混合器２８、ギアポンプ３０、シリンダポンプ３２、第１流量計３４、第２流量計３６、制御部３８などを含んで構成されている。
【００１０】
第１タンク１２は、後述する移送装置５０によって移送されたベース材Ｂを貯えるものである。
第１タンク１２は、円形の底壁１２Ａと、底壁１２Ａの周囲から立設された円筒状の側壁１２Ｂと、側壁１２Ｂの上部を閉塞する円形の上壁１２Ｃとを備える。
第１タンク１２の内部には、ベース材Ｂの液面を覆う円形の可動蓋１３が設けられている。
可動蓋１３は、第１タンク１２の内径に対応した外径で形成され液面上に載置されている。
可動蓋１３は、ベース材Ｂの液面の上下方向への移動に伴い第１タンク１２内で側壁１２Ｂの内周面に沿って上下に移動可能に設けられている。
可動蓋１３の中央には、第１循環ポンプ２４の吸入部２４Ｂが連通する開口が形成されている。
第１タンク１２のベース材Ｂの増減に伴いベース材Ｂの液面の位置は上下に移動し、この際、液面上に載置された可動蓋１３は液面に追従して上下に移動する。したがって、ベース材Ｂの液面は可動蓋１３によって常に覆われており大気に触れないようになっている。
【００１１】
ここで移送装置５０について説明する。
移送装置５０は、ドラム缶６２に充填されているベース材Ｂを第１タンク１２に移送するものである。
移送装置５０は、移送ポンプ５２、可動蓋５４、フレーム５６、一対のアクチュエータ５８、ホース６０などを含んでいる。
【００１２】
移送ポンプ５２は、軸状を呈するケース５２Ａと、ケース５２Ａの延在方向の一端に設けられ液体を吸入する吸入部５２Ｂと、ケース５２Ａの他端に設けられ吸入部５２Ｂで吸入した液体を吐出する吐出部５２Ｃとを有している。
移送ポンプ５２として、モーノポンプなど従来公知のさまざまな液体移送用のポンプが使用可能である。
【００１３】
可動蓋５４は、ドラム缶６２に充填されたベース材Ｂの液面を覆う大きさで形成され、液面上に載置され、ベース材Ｂの液面が大気に触れないようになっている。
なお、可動蓋５４には図示しない空気抜き用のバルブが設けられており、このバルブを介してベース材Ｂの空気抜きがなされるように構成されている。
可動蓋５４は、液面の上下方向への移動に伴いドラム缶６２内で上下に移動可能に設けられており、可動蓋５４の中央に開口が設けられている。
移送ポンプ５２は、吸入部５２Ｂを可動蓋５４の開口に連通させた状態でケース５２Ａが可動蓋５４に一体的に取り付けられている。
【００１４】
移送ポンプ５２は、フレーム５６と一対のアクチュエータ５８とを介して床面Ｇに対して上下方向に移動可能に支持されている。
フレーム５６は、水平方向に延在する板状を呈し、延在方向の中間部で移送ポンプ５２のケース５２Ａを支持する。
各アクチュエータ５８は、フレーム５６の延在方向の両端と床面Ｇとの間に設けられており、アクチュエータ５８が上下方向に伸縮することにより、移送ポンプ５２および可動蓋５４はフレーム５６を介して上下方向に移動可能に支持される。
このようなアクチュエータ５８として例えば空気圧で動作するエアシリンダなどが使用可能である。
したがって、ドラム缶６２内部のベース部材Ｂの液面が上下方向に変位すると、この液面の変位に追従してアクチュエータ５８が伸縮することにより、可動蓋５４、移送ポンプ５２、フレーム５６も上下方向に変位する。
【００１５】
ホース６０は、可撓性を有し、ホース６０の一端が移送ポンプ５２の吐出部５２Ｃに接続され、ホース６０の他端が配管６２を介して第１タンク１２の底壁１２Ａの部分で第１タンク１２の内部に連通している。
移送ポンプ５２がモータＭ０により駆動されると、ドラム缶６２のベース材Ｂが移送ポンプ４２によりホース６０、配管４６を介して第１タンク１２の内部に移送される。
ドラム缶６２のベース材Ｂの減少に伴いベース材Ｂの液面の位置は下方に移動し、この際、液面上に載置された可動蓋５４は、移送ポンプ５２と共に液面に追従して下方に移動する。したがって、ベース材Ｂの液面は可動蓋５４によって常に覆われており大気に触れないようになっている。
【００１６】
第１循環ポンプ２４は、軸状を呈するケース２４Ａと、ケース２４Ａの延在方向の一端に設けられ液体を吸入する吸入部２４Ｂと、ケース２４Ａの他端に設けられ吸入部２４Ｂで吸入した液体を吐出する吐出部２４Ｃとを有している。
第１循環ポンプ２４には、制御部３８によって制御されるモータＭ１が接続されており、第１循環ポンプ２４はモータＭ１の回転により動作する。
第１循環ポンプ２４としては、モーノポンプなど従来公知のさまざまな液体移送用のポンプが使用可能である。
【００１７】
第１循環ポンプ２４は、フレーム４０と一対のアクチュエータ４２とを介して床面Ｇに対して上下方向に移動可能に支持されている。
フレーム４０は、水平方向に延在する板状を呈し、延在方向の中間部で第１循環ポンプ２４のケース２４Ａを支持する。
各アクチュエータ４２は、フレーム４０の延在方向の両端と床面Ｇとの間に設けられており、アクチュエータ４２が上下方向に伸縮することにより、第１循環ポンプ２４はフレーム４０を介して上下方向に移動可能に支持される。
このようなアクチュエータ４２として例えば空気圧で動作するエアシリンダなどが使用可能である。
【００１８】
第１循環ポンプ２４は、吸入部２４Ｂを可動蓋１３の開口に連通させた状態でケース２４Ａが可動蓋１３に一体的に取り付けられている。
そして、第１タンク１２内部のベース部材Ｂの液面が上下方向に変位すると、この液面の変位に追従してアクチュエータ４２が伸縮することにより、可動蓋１３、第１循環ポンプ２４、フレーム４０も上下方向に変位する。
【００１９】
第１循環ポンプ２４の吐出口２４Ｃは、可撓性を有するホース１５の一端に連通されており、ホース１５の他端は、配管１７を介して第１タンク１２の底壁１２Ａの部分で第１タンク１２の内部に連通している。
【００２０】
第１管路１６は、吸引口１６Ａと吐出口１６Ｂとを有し、第１管路１６に第１循環ポンプ２４が設けられている。
本実施の形態では、第１管路１６は、ホース１５と配管１７を含んでいる。
吸引口１６Ａは、第１タンク１２に貯えられたベース材Ｂを吸引するものであり、本実施の形態では、第１循環ポンプ２４の吸引部２４Ｂで構成されている。
吐出口１６Ｂは、吸引口１６Ａから吸引したベース材Ｂを第１タンク１２内に戻すものであり、配管１７の端部で構成されている。
モータＭ１が駆動され第１循環ポンプ２４が動作すると、第１循環ポンプ２４の吸引部２４Ｂ（吸入口１６Ａ）から吸引された第１タンク１２内のベース材Ｂは、吐出部２４Ｃから吐出されホース１５、配管１７（吐出口１６Ｂ）を介して第１タンク１２の内部に戻される。
これにより、第１タンク１２のベース材Ｂは第１管路１６を介して第１タンク１２とその外部との間で循環される。
【００２１】
第２管路１８は、第１管路１６の中間部と混合器２８とを連通している。
より詳細には、第２管路１８が連通する第１管路１６の中間部は、第１循環ポンプ２４が設けられた第１管路１６の部分と第１管路１６の吐出口１６Ｂとの間に位置する第１管路１６の部分である。
【００２２】
ギアポンプ３０は、第２管路１８に設けられ第１管路１６の中間部からベース材Ｂを吸引して混合器２８に吐出するものである。
ギアポンプ３０は、図３に示すように、ケース３０Ａと、ギアポンプ吸入部３０Ｂと、ギアポンプ吐出部３０Ｃと、一対の歯車３０Ｄとを備えている。
【００２３】
ギアポンプ吸入部３０Ｂは、ケース３０Ａに設けられ第２管路１８を介して第１管路１６の中間部に連通している。
ギアポンプ吐出部３０Ｃは、ケース３０Ａに設けられ第２管路１８を介して混合器２８に連通している。
一対の歯車３０Ｄは、ケース３０Ａに収容され互いに噛合している。
一対の歯車３０Ｄには、制御部３８によって制御される第１サーボモータＭ３が接続されている。
【００２４】
一対の歯車３０Ｄが第１サーボモータＭ３により回転駆動されることにより、ケース３０Ａ内において一対の歯車３０Ｄの歯溝に収容されたベース材Ｂをギアポンプ吸入部３０Ｂからギアポンプ吐出口３０Ｃに移送する。
このようなギアポンプ３０は、ベース材Ｂが歯溝に均一に収容されることから、移送する液体がベース材Ｂのように高粘度の粘性体であっても、歯車３０Ｄの回転量に比例した容積の液体を安定して移送することができる。
すなわち、図４に示すように、横軸にギアポンプ移動量（歯車３０Ｄの回転量）をとり、縦軸にギアポンプから吐出される液体の容積をとった場合、ギアポンプ移動量に対して吐出される液体の容積は直線的に変化する。
また、ギアポンプ３０によって吐出されるベース材Ｂの吐出量は、歯車３０Ｄの回転量によって決定される。
【００２５】
第２管路１８のうちギアポンプ吸入部３０Ｂの吸入側（サンクション側）に、制御部３８により開閉制御される第１自動弁６８が設けられている。
第１流量計３４は、第２管路１８のうちギアポンプ３０の吐出側に設けられ、ギアポンプ３０から吐出されるベース材Ｂの流量を検出し、その検出結果を制御部３８に供給するものである。
【００２６】
第２タンク１４は触媒Ｃを貯えるものである。
第２タンク１４は、底壁１４Ａと、底壁１４Ａの周囲から立設された側壁１４Ｂと、側壁１４Ｂの上部を開閉可能に閉塞する上壁１４Ｃと、上壁１４Ｃに設けられた開口１４Ｄと、開口１４Ｄを開閉する蓋体１４Ｅとを備えている。
【００２７】
第２タンク１４への触媒Ｃの移送は、蓋体１４Ｅを開いて開口１４Ｄを開放した状態で、所定の容器６６に充填された触媒Ｃを開口１４Ｄを介して第２タンク１４の内部に注ぎ入れることでなされる。
【００２８】
第２循環ポンプ２６は、ケース２６Ａと、ケース２６Ａに設けられ液体を吸入する吸入部２６Ｂと、ケース２６Ａに設けられ吸入部２６Ｂで吸入した液体を吐出する吐出部２６Ｃとを有している。
第２循環ポンプ２６には、制御部３８によって制御されるモータＭ２が接続されており、第２循環ポンプ２６はモータＭ２の回転により動作する。
第２循環ポンプ２６としては、第１循環ポンプ２４と同様に、モーノポンプなど従来公知のさまざまな液体移送用のポンプが使用可能である。
第２の循環ポンプ２６の吸入部２６Ｂは、配管１９を介して第２タンク１４の底壁１４Ａの部分で第２タンク１４の内部に連通されている。
第２の循環ポンプ２６の吐出部２６Ｃは、配管２１を介して第２タンク１４の底壁１４Ａの部分で第２タンク１４の内部に連通されている。
【００２９】
第３管路２０は、吸引口２０Ａと吐出口２０Ｂとを有し、第３管路２０に第２循環ポンプ２６が設けられている。
本実施の形態では、第２管路２０は、配管１９、２１を含んでいる。
吸引口２０Ａは、第２タンク１４に貯えられた触媒Ｃを吸引するものであり、本実施の形態では、配管１９の端部で構成されている。
吐出口２０Ｂは、吸引口２０Ａから吸引した触媒Ｃを第２タンク１４内に戻すものであり、本実施の形態では、配管２１の端部で構成されている。
モータＭ２が駆動され第２循環ポンプ２６が動作すると、配管１９の端部（吸入口２０Ａ）を介して第２循環ポンプ２６の吸引部２６Ｂから吸引された第２タンク１４内の触媒Ｃは、吐出部２６Ｃから吐出され配管２１（吐出口２０Ｂ）を介して第２タンク１４の内部に戻される。
これにより、第２タンク１４の触媒Ｃは第３管路２０を介して第２タンク１４とその外部との間で循環される。
【００３０】
第４管路２２は、第３管路２０の中間部の中間部と混合器２８とを連通している。
より詳細には、第４管路２２が連通する第３管路２０の中間部は、第３管路２０の吸入口２０Ａと第２循環ポンプ２６が設けられた第３管路２０の部分との間に位置する第３管路２０の部分である。
【００３１】
シリンダポンプ３２は、第４管路２２に設けられ第３管路２０の中間部から触媒Ｃを吸引して混合器２８に吐出するものである。
シリンダポンプ３２は、シリンダ３２Ａと、シリンダポンプ吸入部３２Ｂと、シリンダポンプ吐出部３２Ｃと、ピストン３２Ｄとを備えている。
シリンダ３２Ａは、軸状を呈し内部に液体を収容するものである。
シリンダポンプ吸入部３２Ｂは、シリンダ３２Ａに設けられ第４管路２２を介して第３管路２０の中間部に連通するものである。
シリンダポンプ吐出部３２Ｃは、シリンダ３２Ｂに設けられ第４管路２２を介して混合器２８に連通するものである。
ピストン３２Ｄは、シリンダ３２Ａに該シリンダ３２Ａの軸方向に往復移動可能に収容されたものである。
ピストン３２Ｄには、制御部３８によって制御される第２サーボモータＭ４が接続されている。
【００３２】
また、第４管路２２のうちシリンダポンプ吸入部３２Ｂの上流側の箇所に制御部３８によって制御される第２自動弁７０が設けられている。
第４管路２２のうちシリンダポンプ吐出部３２Ｃの下流側の箇所に制御部３８によって制御される第３自動弁７２が設けられている。
すなわち、ピストン３２ＤがモータＭ２によりシリンダ３２Ａ内で往復移動されることにより触媒Ｃがシリンダポンプ吸入部３２Ｂからシリンダポンプ吐出部３２Ｃに移送される。
【００３３】
より詳細には、第２自動弁７０が開放されかつ第３自動弁７２が閉塞された状態でピストン３２ＤがモータＭ２によりシリンダ３２Ａ内で一方に移動されることにより触媒Ｃがシリンダポンプ吸入部３２Ｂからシリンダ３２Ａ内に吸入される。
そして、第２自動弁７０が閉塞されかつ第３自動弁７２が開放された状態でピストン３２ＤがモータＭ２によりシリンダ３２Ａ内で他方に移動されることにより触媒Ｃがシリンダ３２Ａ内からシリンダポンプ吐出部３２Ｃへ吐出される。
また、シリンダポンプ３２によって吐出される触媒Ｃの吐出量は、ピストン３２Ｄの移動量によって決定される。
【００３４】
第２流量計３６は、第４管路２２のうちシリンダポンプ３２の吐出側に設けられ、シリンダポンプ３２から吐出される触媒Ｃの流量を検出し、その検出結果を制御部３８に供給するものである。
本実施の形態では、第１流量計３４、第２流量計３６は質量流量計で構成されている。
したがって、ベース材Ｂおよび触媒Ｃの流量は重量で検出される。
【００３５】
混合器２８は、第２管路１８の端部と第４管路２２の端部とに連通しベース材Ｂと触媒Ｃとを混合し混合物としてのシーリング材を吐出するものである。
図１、図２に示すように、混合器２８は、軸状に形成されたケース２８Ａと、ケース２８Ａの延在方向の一端に設けられた液体導入部２８Ｂと、ケース２８Ａの延在方向の他端に設けられた液体排出部２８Ｃとを備えている。
本実施の形態では、混合器２８は静止型混合器（スタティックミキサ）で構成されており、ケース２８Ａ内には、液体を撹拌、混合するための複数の部材が設けられている。
液体導入部２８Ｂは、第２管路１８の端部と第４管路２２の端部とに連通している。
【００３６】
ギアポンプ３０によって第２管路１８を介して移送されるベース材Ｂと、シリンダポンプ３２によって第４管路２２を介して移送される触媒Ｃとが液体導入部２８Ｂからケース２８Ａの内部に供給される。
すると、それらベース材Ｂと触媒Ｃとは、ケース２８Ａ内を液体排出部２８Ｃに向かって移動しつつ前記複数の部材により撹拌、混合されることによりシーリング材となり、このシーリング材が液体排出部２８Ｃから排出される。
【００３７】
液体排出部２８Ｃは配管７８を介して第４自動弁７４、第５自動弁７６に接続されている。
第４自動弁７４、第５自動弁７６は、制御部３８によって制御されるものである。
第４自動弁７４の吐出側および第５自動弁７６の吐出側には、シーリング材を容器８２に充填するための第１充填ノズル７８、第２充填ノズル８０が接続されている。
したがって、第４自動弁７４が開放されかつ第５自動弁７６が閉塞された状態で混合器２８の液体排出部２８Ｃからシーリング材が吐出されると、第１充填ノズル７８からシーリング材が容器８２に充填される。
また、第４自動弁７４が閉塞されかつ第５自動弁７６が開放された状態で混合器２８の液体排出部２８Ｃからシーリング材が吐出されると、第２充填ノズル８０からシーリング材が容器８２に充填される。
【００３８】
制御部３８は、第１流量計３４によって検出されたベース材Ｂの流量に基づいて第１サーボモータＭ３を制御することで、ギアポンプ３０によるベース材Ｂの吐出量を制御するものである。
また、制御部３８は、第２流量計３６によって検出された触媒Ｃの流量に基づいて第２サーボモータＭ４を制御することで、シリンダポンプ３２によるベース材Ｂの吐出量を制御するものである。
そして、制御部３８によるベース材Ｂおよび触媒Ｃの吐出量の制御は、ベース材Ｂと触媒Ｃとが混合器２８により一定の容積比で混合するようになされる。
また、制御部３８は、第１自動弁６８、第２自動弁７０、第３自動弁７２、第４自動弁７４、第５自動弁７６の動作を制御することで、混合器２８から吐出されるシーリング材を単一の容器８２に充填するものである。
なお、制御部３８は、マイクロコンピュータやプログラマブルロジックコントローラなどの従来公知のさまざまな制御機器を用いて構成することができることは無論である。
【００３９】
図５を参照して、制御部３８による第１サーボモータＭ３，第２サーボモータＭ４の制御動作についてより詳細に説明する。
第１サーボモータＭ３の回転量に対応してギアポンプ３０から吐出されるべきベース材Ｂの吐出量を第１サーボモータＭ３の回転量を制御するための第１サーボ移動量ＳＶ１として定義する。
第１サーボ移動量ＳＶ１に対応して第１サーボモータＭ３が回転したときに第１流量計３４によって検出されたベース材Ｂの流量の計測値を計測値ＰＶ１とする。
第１サーボ移動量ＳＶ１と計測値ＰＶ１の差分を偏差値ＥＶ１＝ＳＶ１−ＰＶ１とする。
この場合、制御部３８によるベース材Ｂの吐出量の制御は、第１サーボ移動量ＳＶ１と、計測値ＰＶ１と、偏差値ＥＶ１とを用いてなされる。
すなわち、制御部３８は、偏差値ＥＶ１がゼロとなるように第１サーボ移動量ＳＶ１を制御する。
【００４０】
また、第２サーボモータＭ４の回転量に対応してシリンダポンプ３２から吐出されるべき触媒Ｃの吐出量を第２サーボモータＭ４の回転量を制御するための第２サーボ移動量ＳＶ２として定義する。
第２サーボ移動量ＳＶ２に対応して第２サーボモータＭ４が回転したときに第２流量計３６によって検出された触媒Ｃの流量の計測値を計測値ＰＶ２とする。
第２サーボ移動量ＳＶ２と計測値ＰＶ２の差分を偏差値ＥＶ２＝ＳＶ２−ＰＶ２とする。
この場合、制御部３８による触媒Ｃの吐出量の制御は、第２サーボ移動量ＳＶ２と、計測値ＰＶ２と、偏差値ＥＶ２とを用いてなされる。
すなわち、制御部３８は、偏差値ＥＶ２がゼロとなるように第２サーボ移動量ＳＶ２を制御する。
【００４１】
次に、図１、図２、図５を参照して原料混合装置１０の動作について説明する。
予め、第１タンク１２にベース材Ｂが収容され、第２タンク１４に触媒Ｃが収容されているものとする。
まず、制御部３８の制御によりモータＭ１が回転し、第１循環ポンプ２４により第１タンク１２に収容されているベース材Ｂが第１管路１６を介して循環する。
このようにベース材Ｂが第１管路１６を介して循環すると、第１管路１６に第２管路１８を介して連通するギアポンプ吸入部３０Ｂに加わるベース材Ｂの圧力、言い換えると、ギアポンプ３０の吸引側（サンクション側）に加わるベース材Ｂの圧力が安定化される。
このようにギアポンプ３０の吸引側の圧力が安定化されることによって、ギアポンプ３０から吐出されるベース材Ｂの吐出量の安定化が図られている。
【００４２】
また、制御部３８の制御によりモータＭ２が回転し、第２循環ポンプ２６により第２タンク１４に収容されている触媒Ｃが第３管路２０を介して循環する。
このように触媒Ｃが第３管路２０を介して循環することにより、第２タンク１４に収容されている触媒Ｃの空気抜きが図られている。
なお、ベース材Ｂおよび触媒Ｃの循環は、原料混合装置１０によるベース材Ｂおよび触媒Ｃの混合動作、シーリング材の単一の容器８２への充填動作を開始してから終了するまで継続して行われる。
【００４３】
制御部３８は、第１自動弁６８を開放し、第１サーボモータＭ３を回転させてギアポンプ３０によるベース材Ｂの移送を開始する。
これにより、ベース材Ｂは、第１タンク１２、ギアポンプ３０、第１流量計３４を介して混合器２８に移送される。
また、制御部３８は、第２自動弁７０を開放し第３自動弁７２を閉塞した状態で、第２サーボモータＭ４を回転させてシリンダポンプ３２による触媒Ｃの吸引を行う。次いで、第２自動弁７０を閉塞し第３自動弁７２を開放した状態で、第２サーボモータＭ４を回転させてシリンダポンプ３２による触媒Ｃの吐出を行う。
【００４４】
このような動作により、触媒Ｃは、第２タンク１４、シリンダポンプ３２、第２流量計３６を介して混合器２８に移送される。
混合器２８に移送されたベース材Ｂおよび触媒Ｃは混合器２８で撹拌、混合されシーリング材とされる。
制御部３８は、第４自動弁７４および第５自動弁７６の一方を開放し他方を閉塞させる。
これにより、混合器２８から吐出されたシーリング材は、配管７８を介して第１充填ノズル７８および第２充填ノズル８０の一方から単一の容器８２に充填される。
容器８２への充填が終了したならば、制御部３８は、第４自動弁７４および第５自動弁７６の一方を閉塞し他方を開放させる。
これにより、混合器２８から吐出されたシーリング材は、配管７８を介して第１充填ノズル７８および第２充填ノズル８０の他方から単一の容器８２に充填される。
以下、このような動作を、シーリング材が充填された容器８２を取り除き、代わりに空の容器８２と交換したのち同様に繰り返して行う。
【００４５】
次に、図５を参照して、ベース材Ｂと触媒Ｃとを一定の容積比で混合するための制御動作について詳細に説明する。
この場合、１つの容器８２に対するシーリング材の充填動作は１回でなされるものとする。
すなわち、ベース材Ｂについて説明すると、ギアポンプ３０の第１サーボモータＭ３のサーボ移動量ＳＶ１を設定する（ステップＳ１０）。
次いで、1回分の充填動作において、第１流量計３４によって検出されるベース材Ｂの流量である計測値ＰＶ１を得る（ステップＳ１２）。
次に、サーボ移動量ＳＶ１と計測値ＰＶ１との差分としての偏差値ＥＶ１を演算する（ステップＳ１４）。
すなわち、この偏差値ＥＶ１がゼロならば、時間当たりに吐出されたベース材Ｂの容積が目標値と合致していることを示し、偏差値ＥＶ１がゼロよりも大きいか小さいならば、時間当たりに吐出されたベース材Ｂの容積が目標値からずれていることを示す。
したがって、偏差値ＥＶ１に基づいてサーボ移動量ＳＶ１を演算して新たなサーボ移動量ＳＶ１として設定する（ステップＳ１６）。
そして、ステップＳ１０に戻り、ステップＳ１６で設定されたサーボ移動量ＳＶ１に基づいてギアポンプ３０の第１サーボモータＭ３の移動量を制御する。すなわち、ステップＳ１６で設定されたこのサーボ移動量ＳＶ１は、次の回の充填動作に反映される。
このようなフィードバック制御を充填動作毎に繰り返して行うことにより、ギアポンプ３０から吐出されるベース材Ｂの時間当たりの吐出量を目標値に正確に制御することができる。
【００４６】
触媒Ｃについても同様に説明する。
シリンダポンプ３２の第２サーボモータＭ４のサーボ移動量ＳＶ２を設定する（ステップＳ２０）。
次いで、1回分の充填動作において、第２流量計３６によって検出される触媒Ｃの流量である計測値ＰＶ２を得る（ステップＳ２２）。
次に、サーボ移動量ＳＶ２と計測値ＰＶ２との差分としての偏差値ＥＶ２を演算する（ステップＳ２４）。
すなわち、この偏差値ＥＶ２がゼロならば、時間当たりに吐出された触媒Ｃの容積が目標値と合致していることを示し、偏差値ＥＶ２がゼロよりも大きいか小さいならば、時間当たりに吐出された触媒Ｃの容積が目標値からずれていることを示す。
したがって、偏差値ＥＶ２に基づいてサーボ移動量ＳＶを演算して新たなサーボ移動量ＳＶ２として設定する（ステップＳ２６）。
そして、ステップＳ２０に戻り、ステップＳ２６で設定されたサーボ移動量ＳＶ２に基づいてシリンダポンプ３２の第２サーボモータＭ４の移動量を制御する。
すなわち、ステップＳ２６で設定されたこのサーボ移動量ＳＶ２は、次の回の充填動作に反映される。
このようなフィードバック制御を充填動作毎に繰り返して行うことにより、シリンダポンプ３２から吐出される触媒Ｃの時間当たりの吐出量を目標値に正確に制御することができる。
【００４７】
このようにして、ギアポンプ３０から吐出されるベース材Ｂの吐出量と、シリンダポンプ３２から吐出される触媒Ｃの吐出量との双方を正確に制御することにより、ベース材Ｂと触媒Ｃとを一定の容積比で混合することができる。
【００４８】
ところで、原料混合装置１０の立ち上がり動作時においては、ベース材Ｂおよび触媒Ｃの流動性が安定せず、時間経過とともにベース材Ｂおよび触媒Ｃの流動性が安定する傾向にあることが多い。
ベース材Ｂおよび触媒Ｃの流動性が安定していないと、ベース材Ｂと触媒Ｃとの容積比を正確に維持する上で不利がある。
そこで、原料混合装置１０の立ち上がりの際には、ベース材Ｂと触媒Ｃとを一定の容積比で混合するための制御動作をきめ細かく行うことが、ベース材Ｂと触媒Ｃとの容積比を正確に維持する上で好ましい。
以下、原料混合装置１０の立ち上がり動作時における制御動作について説明する。
【００４９】
図６は、予め定められた量のシーリング材を３分の１ずつ３回に分けて単一の容器８２に充填する場合の、言い換えると、単一の容器８２に対して３回の充填動作を行う場合の制御部３８による制御動作を示すフローチャートである。
ベース材Ｂについて説明する。
まず、１回目の充填動作に対応して、ギアポンプ３０の第１サーボモータＭ３のサーボ移動量ＳＶ１（１）＝Ｍ／Ｎを設定する（ステップＳ３０）。
ここで、Ｍは容器８２に最終的に充填すべきベース材Ｇの合計重量（合計容積）を示し、ＮはＭの分割数であり、ここではシーリング材を３等分するため「３」となる。
次いで、上記サーボ移動量ＳＶ１（１）に対応して第１サーボモータＭ３が回転されたときに第１流量計３４によって検出されるベース材Ｂの流量である計測値ＰＶ１（１）を得る（ステップＳ３２）。
次に、サーボ移動量ＳＶ１と計測値ＰＶ１（１）との差分としての偏差値ＥＶ１（１）を演算する（ステップＳ３４）。
この場合、ＥＶ１（１）＝ＳＶ１（１）−ＰＶ１（１）となる。
【００５０】
次に、２回目の充填動作に対応して、偏差値ＥＶ１（１）に基づいてサーボ移動量ＳＶ１を演算して新たなサーボ移動量ＳＶ１（２）として設定する（ステップＳ３６）。
この場合、ＳＶ１（２）＝Ｍ／Ｎ＋ＥＶ１（１）となる。
次いで、上記サーボ移動量ＳＶ１（２）に対応して第１サーボモータＭ３が回転されたときに第１流量計３４によって検出されるベース材Ｂの流量である計測値ＰＶ１（２）を得る（ステップＳ３８）。
次に、サーボ移動量ＳＶ１（２）と計測値ＰＶ１（２）との差分としての偏差値ＥＶ１（２）を演算する（ステップＳ４０）。
この場合、ＥＶ１（２）＝ＳＶ１（２）−ＰＶ１（２）となる。
【００５１】
次に、３回目の充填動作に対応して、偏差値ＥＶ１（２）に基づいてサーボ移動量ＳＶ１を演算して新たなサーボ移動量ＳＶ１（３）として設定する（ステップＳ４２）。
この場合、ＳＶ１（３）＝Ｍ／Ｎ＋ＥＶ１（２）となる。
次いで、上記サーボ移動量ＳＶ１（３）に対応して第１サーボモータＭ３が回転されたときに第１流量計３４によって検出されるベース材Ｂの流量である計測値ＰＶ１（３）を得る（ステップＳ４４）。ここで、計測値ＰＶ１（３）は容器８２に充填されたベース材Ｂの合計重量に相当するものとなる。
このようにしてギアポンプ３０の第１サーボモータＭ３のサーボ移動量ＳＶ１を３回に分けて制御する。
【００５２】
なお、触媒Ｃについても上述と同様の動作がなされる。
この場合、図６における、第１サーボモータＭ３のサーボ移動量ＳＶ１、計測値ＰＶ１、偏差値ＥＶ１のそれぞれを、第２サーボモータＭ４のサーボ移動量ＳＶ２、計測値ＰＶ２、偏差値ＥＶ２のそれぞれに置き換えればよいため、詳細な説明を省く。
【００５３】
このように、単一の容器８２に対して３回に分けてシーリング材の充填を行うことにより、すなわち、ベース材Ｂおよび触媒Ｃの混合器２８への移送を３回に分けて行う。
これにより、混合器２８に移送されるベース材Ｂおよび触媒Ｃの容積（重量）の制御をきめ細かく行うことができる。
したがって、原料混合装置１０の立ち上がりの際に、ベース材Ｂおよび触媒Ｃの流動性が安定していない場合であっても、ベース材Ｂと触媒Ｃとの容積比（重量比）を正確に維持する上で有利となる。
なお、原料混合装置１０の立ち上がり後、ベース材Ｂおよび触媒Ｃの流動性が安定するに足る時間が経過したならば、図５に示したように、単一の容器８２に対して１回の動作でシーリング材を充填すればよく、その場合には、充填に要する時間の短縮化が図れる。
また、単一の容器８２に対して３回に分けてシーリング材の充填を行う場合について説明したが、単一の容器８２に対して２回に分けて、あるいは、４回以上に分けてシーリング材の充填を行うようにしてもよい。
【００５４】
本実施の形態の原料混合装置１０および原料混合方法によれば、粘度が高いベース材Ｂをギアポンプ３０を用いて第１タンク１２から混合器２８へ移送し、かつ、ベース材Ｂよりも粘度が低い触媒Ｃをシリンダポンプ３２を用いて第２タンク１４から混合器２８へ移送することで、ベース材Ｂと触媒Ｃとを混合してシーリング材を得るようにした。
したがって、粘度が高いベース材Ｂについてはギアポンプ３０を用いることで、ベース材Ｂの単位時間当たりの吐出量をより大きく確保することができる。
そのため、原料混合装置１０による原料の混合および混合した原料の吐出を行う処理速度の向上を図れ、生産性の向上を図る上で有利となる。
特に、従来のように、ベース材Ｂおよび触媒Ｃの双方をそれぞれシリンダポンプを用いて混合器２８に移送する場合は、ベース材Ｂが高い粘度を有していることから、シリンダポンプのピストンの移動速度を高速化して原料の移送速度を速める上で限界があった。また、シリンダポンプとして大掛かりでコストのかかるものが必要となる不利があった。
これに対して、本実施の形態では、粘度が高いベース材Ｂについてはギアポンプ３０を用い、粘度が低い触媒Ｃについてはシリンダポンプ３２を用いるという簡素な構成により、処理速度の向上を図れ、生産性の向上を図る上で有利となる。
【００５５】
例えば、ベース材Ｂと触媒Ｃとの容積比が１００：５であったとすると、容器８２に充填するシーリング材が３００ｃｃ程度であった場合には、ベース材Ｂの容積は２８５ｃｃ程度と極めて少ない容積である。
そのため、ベース材Ｂおよび触媒Ｃの双方をそれぞれシリンダポンプを用いて混合器２８に移送したとしても生産性を確保する上で大きな支障はない。
しかしながら、容器８２に充填するシーリング材が１０００ｃｃ単位、例えば、５０００ｃｃといったような大容量となった場合には、ベース材Ｂの容積が４７６０ｃｃと大きな容積となる。
このように高い粘度を有した大量のベース材Ｂを移送するのにシリンダポンプを用いた場合、ピストンの移動速度を高速化することが難しく、移送速度を速めることは極めて難しい。
これに対して本発明によれば、ギアポンプ３０を用いることで大容量の粘度が高いベース材Ｂを高速に移送することができるため、処理速度の向上を図れ、生産性の向上を図る上で有利となる。
【００５６】
また、本実施の形態では、第１流量計３４、第２流量計３６が質量流量計で構成されているため、ベース材Ｂあるいは触媒Ｃに比重の変化が生じた場合であっても、第１流量計３４、第２流量計３６は、比重の影響を受けることなく正確な重量を検出できる。
したがって、混合器２８に対して正確な容積のベース材Ｂおよび触媒Ｃが供給されるので、混合器２８によって混合されるベース材Ｂと触媒Ｃとの容積比（重量比）を正確に維持でき、品質の高いシーリング材を得る上で有利となる。
なお、第１流量計３４、第２流量計３６として容積流量計を用いてもよいが、本実施の形態のように質量流量計を用いると、品質の高いシーリング材を得る上でより有利となる。
【符号の説明】
【００５７】
１０……原料混合装置、１２……第１タンク、１４……第２タンク、１６……第１管路、１８……第２管路、２０……第３管路、２２……第４管路、２４……第１循環ポンプ、２６……第２循環ポンプ、２８……混合器、３０……ギアポンプ、３２……シリンダポンプ、３４……第１流量計、３６……第２流量計、３８……制御部、Ｂ……ベース材（第１粘性体）、Ｃ……触媒（第２粘性体）。
【図１】
2010284611.tif 000003
【図２】
2010284611.tif 000004
【図３】
2010284611.tif 000005
【図４】
2010284611.tif 000006
【図５】
2010284611.tif 000007
【図６】
2010284611.tif 000008